【手続補正書】
【提出日】平成16年11月10日(2004.11.10)
【手続補正１】
【補正対象書類名】明細書
【補正対象項目名】特許請求の範囲
【補正方法】変更
【補正の内容】
【特許請求の範囲】
【請求項１】  第１入力シンボルストリームを形成するために互いに配列されたシンボルで形成される信号を複数のアンテナから送信する方法であって、
送信機において第１入力シンボルストリームを受信する段階と、
前記第１入力シンボルストリームをオフセットして第２入力シンボルストリームを生成する段階であって、前記第２入力シンボルストリームは、前記第１入力シンボルストリームと同質ではあるが、前記第１入力シンボルストリームをＭシンボル周期だけオフセットされたものである段階と、
前記第１入力シンボルストリームの少なくとも２つのシンボルに対して所定期間にわたって第１変換を実行して第１変換結果を生成する段階と、
前記第２入力シンボルストリームの少なくとも２つのシンボルに対して前記期間にわたって略同時に第２変換を実行して第２変換結果を生成する段階であって、前記第２変換は、前記第１変換と同質である段階と、
前記第１変換結果および前記第２変換結果をそれぞれ第１の少なくとも１つのアンテナおよび第２の少なくとも１つのアンテナによって略同時に送信する段階と、
を備えることを特徴とする方法。
【請求項２】  前記第１変換を実行する段階および前記第２変換を実行する段階の各々は、Ａｌａｍｏｕｔｉ変換を実行する段階を備える請求項１に記載の方法。
【請求項３】  前記オフセットする段階は、前記第１入力シンボルストリームをオフセットして前記第２入力シンボルストリームを生成する段階であって、前記第２入力シンボルストリームは、前記第１入力シンボルストリームと同質ではあるが、前記第１入力シンボルストリームを２シンボル周期だけオフセットされたものである段階を備え、前記第１変換を実行する段階と前記第２変換を実行する段階の各々は、２シンボル周期の期間にわたって２つのシンボルに対して前記Ａｌａｍｏｕｔｉ変換を実行する段階を備える請求項２に記載の方法。
【請求項４】  前記送信段階は、前記第１変換結果を第１および第２アンテナから送信し前記第２変換結果を第３および第４アンテナから送信する段階を備える請求項３に記載の方法。
【請求項５】  前記Ａｌａｍｏｕｔｉ変換は、時間領域において実行される請求項２に記載の方法。
【請求項６】  前記オフセット段階は、前記第１入力シンボルストリームを２シンボル周期だけ遅延するようにオフセットして前記第２入力シンボルストリームを生成する段階を備え、前記第１変換を実行する段階および前記第２変換を実行する段階の各々は、２シンボル周期の第１期間にわたって２つのシンボルに対して前記Ａｌａｍｏｕｔｉ変換を実行する段階を備え、前記送信段階は２つのシンボルの第２期間にわたって前記第１変換結果を第１および第２アンテナから送信し前記第２変換結果を第３および第４アンテナから送信する段階を備え、連続する第１および第２変換シンボルは、２つのシンボルの前記第２期間のそれぞれ第１および第２部分において各アンテナから送信される請求項５に記載の方法。
【請求項７】  前記Ａｌａｍｏｕｔｉ変換はＷａｌｓｈ符号領域において実行される請求項２に記載の方法。
【請求項８】  前記オフセット段階は、前記第１入力シンボルストリームを２シンボル周期だけ遅延するようにオフセットして前記第２入力シンボルストリームを生成する段階を備え、前記第１変換を実行する段階と前記第２変換を実行する段階の各々は、２シンボル周期の第１期間にわたって２つのシンボルに対して前記Ａｌａｍｏｕｔｉ変換を実行する段階を備え、前記送信段階は２つのシンボルの第２期間にわたって前記第１変換結果を第１および第２アンテナから送信し前記第２変換結果を第３および第４アンテナから送信する段階を備え、第１および第２変換シンボルは、２つのシンボルの前記第２期間にわたって同時に各アンテナから送信される請求項７に記載の方法。
【請求項９】  前記第１変換の実行段階および前記第２変換の実行段階の各々は、３／４ブロック符号変換を実行する段階を備える請求項１に記載の方法。
【請求項１０】  前記オフセット段階は、前記第１入力シンボルストリームを４シンボル周期だけ遅延するようにオフセットして前記第２入力シンボルストリームを生成する段階を備え、前記第１変換を実行する段階および前記第２変換を実行する段階の各々は、前記４シンボル周期の期間にわたって３つのシンボルに対して前記３／４ブロック符号変換を実行する段階を備える請求項９に記載の方法。
【請求項１１】  前記送信段階は、前記第１変換結果を第１、第２、第３、および第４アンテナから送信し前記第２変換結果を第５、第６、第７、および第８アンテナから送信する段階を備える請求項１０に記載の方法。
【請求項１２】  前記オフセット段階は、前記第１入力シンボルストリームを４シンボル周期だけ遅延するようにオフセットして前記第２入力シンボルストリームを生成する段階を備え、前記第１変換を実行する段階および前記第２変換を実行する段階の各々は、前記４シンボル周期の第１期間にわたって３つのシンボルに対して前記３／４ブロック符号変換を実行する段階を備え、前記送信段階は４つのシンボルの第２期間にわたって前記第１変換結果を前記第１、第２、第３、および第４アンテナから送信し前記第２変換結果を前記第５、第６、第７、および第８アンテナから送信する段階を備え、連続的な第１、第２、第３、および第４変換シンボルは、４つのシンボルの前記第２期間内のそれぞれ第１、第２、第３、および第４期間において各アンテナから送信される請求項１１に記載の方法。
【請求項１３】  第１入力シンボルストリームを形成するために互いに配列されたシンボルで形成される信号を複数のアンテナから送信する装置であって、
前記第１入力シンボルストリームをオフセットして第２入力シンボルストリームを生成するオフセット手段であって、前記第２入力シンボルストリームは、前記第１入力シンボルストリームと同質ではあるが、前記第１入力シンボルストリームをＭシンボル周期だけオフセットされたものである手段と、
前記第１入力シンボルストリームの少なくとも２つのシンボルに対して所定期間にわたって第１変換を実行して第１変換結果を生成する第１変換手段と、
前記第２入力シンボルストリームの少なくとも２つのシンボルに対して前記期間にわたって略同時に第２変換を実行して第２変換結果を生成する第２変換手段であって、前記第２変換は、前記第１変換と同質である手段と、
第１の少なくとも１つのアンテナおよび第２の少なくとも１つのアンテナと、
前記第１変換結果および前記第２変換結果をそれぞれ前記第１の少なくとも１つのアンテナおよび前記第２の少なくとも１つのアンテナから略同時に送信する送信機手段と、
を備えることを特徴とする装置。
【請求項１４】  前記第１変換を実行する前記第１変換手段および前記第２変換を実行する前記第２変換手段の各々は、Ａｌａｍｏｕｔｉ変換を実行する手段を備える請求項１３に記載の装置。
【請求項１５】  前記オフセット手段は、前記第１入力シンボルストリームを２シンボル周期だけ遅延するようにオフセットして前記第２入力シンボルストリームを生成する手段を備え、前記第１変換手段および前記第２変換手段の各々は、２シンボル周期の期間にわたって２つのシンボルに対して前記Ａｌａｍｏｕｔｉ変換を実行する手段を備える請求項１４に記載の装置。
【請求項１６】  前記送信機手段は、前記第１変換結果を第１および第２アンテナから送信し前記第２変換結果を第３および第４アンテナから送信する手段を備える請求項１５に記載の装置。
【請求項１７】  前記第１変換手段および前記第２変換手段は、時間領域において前記Ａｌａｍｏｕｔｉ変換を実行する請求項１６に記載の装置。
【請求項１８】  前記オフセット手段は、前記第１入力シンボルストリームを前記２シンボル周期だけオフセットして前記第２入力シンボルストリームを生成する手段を備え、前記第１変換手段および前記第２変換手段の各々は、前記２シンボル周期の第１期間にわたって２つのシンボルに対して前記Ａｌａｍｏｕｔｉ変換を実行する手段を備え、前記送信機手段は２つのシンボルの第２期間にわたって前記第１変換結果を第１および第２アンテナから送信し前記第２変換結果を第３および第４アンテナから送信する手段を備え、連続する第１および第２変換シンボルは、２つのシンボルの前記第２期間のそれぞれ第１および第２部分において各アンテナから送信される請求項１７に記載の装置。
【請求項１９】  前記第１変換手段および第２変換手段は、Ｗａｌｓｈ符号領域において前記Ａｌａｍｏｕｔｉ変換を実行する請求項１８に記載の装置。
【請求項２０】  前記オフセット手段は、前記第１入力シンボルストリームを前記２シンボル周期だけ遅延するようにオフセットして前記第２入力シンボルストリームを生成する手段を備え、前記第１変換手段および前記第２変換手段の各々は、前記２シンボル周期の前記第１期間にわたって２つのシンボルに対して前記Ａｌａｍｏｕｔｉ変換を実行する手段を備え、前記送信機手段は２つのシンボルの第２期間にわたって前記第１変換結果を第１および第２アンテナから送信し前記第２変換結果を第３および第４アンテナから送信する手段を備え、第１および第２変換シンボルは、２つのシンボルの前記第２期間にわたって各アンテナから同時に送信される請求項１９に記載の装置。
【請求項２１】  前記第１変換を実行する前記第１変換手段および前記第２変換を実行する前記第２変換手段の各々は、３／４ブロック符号変換を実行する手段を備える請求項２０に記載の装置。
【請求項２２】  前記オフセット手段は、前記第１入力シンボルストリームを４シンボル周期だけオフセットして前記第２入力シンボルストリームを生成する手段を備え、前記第１変換手段および前記第２変換手段の各々は、前記４シンボル周期の期間にわたって３つのシンボルに対して前記３／４ブロック符号変換を実行する手段を備える請求項２１に記載の装置。
【請求項２３】  前記第１の少なくとも１つのアンテナは、第１、第２、第３、および第４アンテナを備え、前記第２の少なくとも１つのアンテナは、第５、第６、第７、および第８アンテナを備える請求項２２に記載の装置。
【請求項２４】  前記オフセット手段は、前記第１入力シンボルストリームを４シンボル周期だけオフセットして前記第２入力シンボルストリームを生成する手段を備え、前記第１変換手段および前記第２変換手段の各々は、前記４シンボル周期の期間にわたって前記３つのシンボルに対して前記３／４ブロック符号変換を実行する手段を備え、前記送信機手段は４つのシンボルの第２期間にわたって前記第１変換結果を前記第１、第２、第３、および第４アンテナから送信し前記第２変換結果を前記第５、第６、第７、および第８アンテナから送信する手段を備え、連続する第１、第２、第３、および第４変換シンボルは、前記４つのシンボルの前記第２期間のそれぞれ第１、第２、第３、および第４期間において各アンテナから送信される請求項２３に記載の装置。